(57)【特許請求の範囲】
【請求項１】
対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを第２の装置に送信する分配手段を含む分配装置と、
前記分配装置から受信した前記第２のデータを記憶するデータ記憶手段と、前記第１の装置から取得した前記第１のデータと前記データ記憶手段から取得した前記第２のデータとをもとに、前記対象データを復元する復元手段と、前記復元された対象データを印刷する印刷手段とを含む前記第２の装置と
を備え、
前記分配装置の前記分配手段は、前記第１の装置から分配要求を受信した場合、前記第１のデータを当該第１の装置に送信し、前記第２のデータを前記第２の装置に送信し、
前記第２の装置は、前記データ記憶手段を含むデータ記憶装置、並びに、前記復元手段及び前記印刷手段を含む１以上の印刷実行装置を含み、
前記１以上の印刷実行装置の各々の復元手段は、近距離通信手段を介して、前記第１の装置から前記第１のデータを取得した場合、前記データ記憶装置の前記データ記憶手段から前記第２のデータを取得し、当該取得した第１のデータと第２のデータとをもとに、前記対象データを復元する、
印刷システム。
【請求項２】
前記分配手段は、前記第１のデータ及び前記第２のデータを、それぞれ異なる経路または通信手段を介して、前記第１の装置及び前記第２の装置に送信する
請求項１に記載の印刷システム。
【請求項３】
前記分配手段は、前記対象データの所定のブロック長、または、ランダムなブロック長のブロック毎に、当該ブロックの一部である、所定のデータ長、または、ランダムなデータ長のデータを抜粋し、当該抜粋されたデータの集合を前記第１のデータとする
請求項１または２に記載の印刷システム。
【請求項４】
前記分配手段は、前記対象データとして文書データを分配し、
前記第２の装置は、さらに、復元した前記文書データから、当該第２の装置の前記印刷手段が印刷処理を実行可能な印刷データを生成する、印刷データ生成手段を含む
請求項１乃至３のいずれかに記載の印刷システム。
【請求項５】
前記分配装置は、さらに、文書データから、前記第２のデータの送信先の前記第２の装置の前記印刷手段が印刷処理を実行可能な印刷データを生成する印刷データ生成手段を含み、前記分配手段は、前記対象データとして前記印刷データを分配する
請求項１乃至３のいずれかに記載の印刷システム。
【請求項６】
対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを第２の装置に送信する分配手段を含む分配装置と、
前記分配装置から受信した前記第２のデータを記憶するデータ記憶手段と、前記第１の装置から取得した前記第１のデータと前記データ記憶手段から取得した前記第２のデータとをもとに、前記対象データを復元する復元手段と、前記復元された対象データを印刷する印刷手段とを含む前記第２の装置と
を備え、
前記分配装置の前記分配手段は、情報端末からユーザ識別子を含む分配要求を受信した場合、前記第１のデータを、前記分配要求で指定された前記ユーザ識別子に対応する第１の装置に送信し、前記第２のデータを前記第２の装置に送信する、
印刷システム。
【請求項７】
分配装置において、対象データから抜粋したデータである第１のデータと、前記対象データから前記第１のデータを抜粋した残りのデータである第２のデータとを生成し、
前記分配装置において、第１の装置から分配要求を受信した場合、前記第１のデータを当該第１の装置に送信し、前記第１のデータとは別に前記第２のデータを第２の装置に送信し、
前記第２の装置のデータ記憶装置において、前記分配装置から受信した前記第２のデータを記憶し、
前記第２の装置の１以上の印刷実行装置の各々において、近距離通信手段を介して、前記第１の装置から前記第１のデータを取得した場合、前記データ記憶装置から前記第２のデータを取得し、前記第１の装置から取得した前記第１のデータと前記データ記憶装置から取得した前記第２のデータとをもとに、前記対象データを復元し、前記復元された対象データを印刷する、
印刷方法。
【請求項８】
分配装置において、情報端末からユーザ識別子を含む分配要求を受信した場合、対象データから抜粋したデータである第１のデータと、前記対象データから前記第１のデータを抜粋した残りのデータである第２のデータとを生成し、前記第１のデータを、前記分配要求で指定された前記ユーザ識別子に対応する第１の装置に送信し、前記第１のデータとは別に前記第２のデータを第２の装置に送信し、
前記第２の装置において、前記分配装置から受信した前記第２のデータを記憶し、前記第１の装置から取得した前記第１のデータと前記第２のデータとをもとに、前記対象データを復元し、前記復元された対象データを印刷する
印刷方法。
【請求項９】
情報端末からユーザ識別子を含む分配要求を受信した場合、対象データから抜粋したデータである第１のデータと、前記対象データから前記第１のデータを抜粋した残りのデータである第２のデータとを生成し、前記第１のデータを、前記分配要求で指定された前記ユーザ識別子に対応する第１の装置に送信し、前記第１のデータとは別に前記第２のデータを、前記第１の装置から取得した前記第１のデータと前記第２のデータとをもとに前記対象データを復元し印刷する第２の装置に送信する分配手段
を備えた分配装置。
【請求項１０】
対象データから抜粋したデータである第１のデータと、前記対象データから前記第１のデータを抜粋した残りのデータである第２のデータとを生成し、他の装置から分配要求を受信した場合に前記第１のデータを当該他の装置に送信する分配装置から、前記第１のデータとは別に送信された、前記第２のデータを記憶するデータ記憶手段
を含むデータ記憶装置と、
近距離通信手段を介して、前記他の装置から前記第１のデータを取得した場合、前記データ記憶装置の前記データ記憶手段から前記第２のデータを取得し、前記他の装置から取得した前記第１のデータと前記データ記憶手段から取得した前記第２のデータとをもとに、前記対象データを復元する復元手段と、
前記復元された対象データを印刷する印刷手段と
を含む１以上の印刷実行装置と
を備えた印刷装置。
【請求項１１】
コンピュータを、
情報端末からユーザ識別子を含む分配要求を受信した場合に、対象データから抜粋したデータである第１のデータと、前記対象データから前記第１のデータを抜粋した残りのデータである第２のデータとを生成し、前記第１のデータを、前記分配要求で指定された前記ユーザ識別子に対応する第１の装置に送信し、前記第１のデータとは別に前記第２のデータを、前記第１の装置から取得した前記第１のデータと前記第２のデータとをもとに前記対象データを復元し印刷する第２の装置に送信する分配手段
として機能させるプログラム。
【請求項１２】
コンピュータを、
近距離通信手段を介して他の装置より対象データから抜粋したデータである第１のデータを取得した場合に、前記第１のデータと前記対象データから前記第１のデータを抜粋した残りのデータである第２のデータとを生成して前記他の装置から分配要求を受信した場合に前記第１のデータを当該他の装置に送信する分配装置から前記第１のデータとは別に送信された前記第２のデータを記憶するデータ記憶装置より、前記第２のデータを取得し、前記他の装置から取得した前記第１のデータと前記データ記憶装置から取得した前記第２のデータとをもとに、前記対象データを復元する復元手段と、
前記復元された対象データを印刷する印刷手段と
して機能させるプログラム。
【発明の詳細な説明】
【技術分野】
【０００１】
本発明は、印刷システム、印刷方法、分配装置、印刷装置、及び、プログラムに関する。
【背景技術】
【０００２】
企業の秘密文書を企業外に持ち出したときの第三者への情報漏洩を防止するために、文書を利用する直前に、持ち出し先や持ち出し先の近くで、当該文書を印刷することが行われている。このような文書の印刷を行うシステムとして、文書の印刷データを、企業等のシステム（以下、プライベートシステムとする）から、コンビニエンスストア等の店舗に設置された公共印刷機に送信し、当該公共印刷機で、文書を印刷する印刷システムが知られている。
【０００３】
例えば、特許文献１に記載された印刷システムでは、サーバ装置が、インターネットを経由して文書データを携帯端末に送信し、携帯端末が、電話回線を経由して印刷データを近距離に存在する街頭設置型印刷装置に送信する。そして、街頭設置型印刷装置が、当該印刷データを印刷する。
【０００４】
また、特許文献２に記載された印刷システムでは、ファイルサーバが、インターネットを経由して携帯電話から指定された文書ファイルを印刷装置に送信し、携帯電話が、近くに存在する印刷装置に当該文書ファイルの印刷を指示する。そして、印刷装置が、当該文書ファイルを印刷する。
【０００５】
なお、関連技術として、特許文献３には、印刷機能を有する画像形成装置において、印刷データを分割して保持するシステムが開示されている。
【先行技術文献】
【特許文献】
【０００６】
【特許文献１】特許第３７６９４７０号
【特許文献２】特開２００２−３６６３１４号公報
【特許文献３】特開２００６−１８７９１８号公報
【発明の概要】
【発明が解決しようとする課題】
【０００７】
上述の特許文献１または特許文献２に記載された印刷システムでは、インターネット等の公共の通信回線を用いて、文書データが送信される。このため、通信回線で文書データが傍受された場合、情報漏洩が発生する可能性がある。文書データが暗号化されていても、時間をかけて復号されてしまう可能性がある。
【０００８】
本発明の目的は、上述の課題を解決し、プライベートシステムから公共印刷機へ、印刷対象のデータを安全に転送できる、印刷システム、印刷方法、分配装置、印刷装置、及び、プログラムを提供することである。
【課題を解決するための手段】
【０００９】
本発明の印刷システムは、対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを第２の装置に送信する分配手段を含む分配装置と、前記分配装置から受信した前記第２のデータを記憶するデータ記憶手段と、前記第１の装置から取得した前記第１のデータと前記データ記憶手段から取得した前記第２のデータとをもとに、前記対象データを復元する復元手段と、前記復元された対象データを印刷する印刷手段とを含む前記第２の装置とを備える。
【００１０】
本発明の印刷方法は、分配装置において、対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを第２の装置に送信し、前記第２の装置において、前記分配装置から受信した前記第２のデータを記憶し、前記第１の装置から取得した前記第１のデータと前記第２のデータとをもとに、前記対象データを復元し、前記復元された対象データを印刷する。
【００１１】
本発明の分配装置は、対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを、前記第１の装置から取得した前記第１のデータと前記第２のデータとをもとに前記対象データを復元し印刷する第２の装置に送信する分配手段を備える。
【００１２】
本発明の印刷装置は、対象データから抜粋したデータである第１のデータと、前記対象データから前記第１のデータを抜粋した残りのデータである第２のデータとを生成し、前記第１のデータを他の装置に送信する分配装置から、前記第１のデータとは別に送信された、前記第２のデータを記憶するデータ記憶手段と、前記他の装置から取得した前記第１のデータと前記データ記憶手段から取得した前記第２のデータとをもとに、前記対象データを復元する復元手段と、前記復元された対象データを印刷する印刷手段とを備える。
【００１３】
本発明の第１のプログラムは、コンピュータを、対象データから抜粋したデータである第１のデータと、前記対象データから前記第１のデータを抜粋した残りのデータである第２のデータとを生成し、前記第１のデータを第１の装置に送信し、前記第１のデータとは別に前記第２のデータを、前記第１の装置から取得した前記第１のデータと前記第２のデータとをもとに前記対象データを復元し印刷する第２の装置に送信する分配手段として機能させる。
【００１４】
本発明の第２のプログラムは、コンピュータを、対象データから抜粋したデータである第１のデータと、前記対象データから前記第１のデータを抜粋した残りのデータである第２のデータとを生成し、前記第１のデータを他の装置に送信する分配装置から、前記第１のデータとは別に送信された、前記第２のデータを記憶するデータ記憶手段と、前記他の装置から取得した前記第１のデータと前記データ記憶手段から取得した前記第２のデータとをもとに、前記対象データを復元する復元手段と、前記復元された対象データを印刷する印刷手段として機能させる。
【発明の効果】
【００１５】
本発明の効果は、プライベートシステムから公共印刷機へ、印刷対象のデータを安全に転送できることである。
【図面の簡単な説明】
【００１６】
【図１】本発明の第１の実施の形態の特徴的な構成を示すブロック図である。
【図２】本発明の第１の実施の形態における、印刷システムの構成を示すブロック図である。
【図３】本発明の第１の実施の形態における、印刷システムの処理を示すシーケンスチャートである。
【図４】本発明の第１の実施の形態における、印刷データ７０１の例を示す図である。
【図５】本発明の第１の実施の形態における、暗号化印刷データ７０２の例を示す図である。
【図６】本発明の第１の実施の形態における、抜粋データ７０３の例を示す図である。
【図７】本発明の第１の実施の形態における、抜粋後データ７０４の例を示す図である。
【図８】本発明の第１の実施の形態における、印刷システムの構成を示すブロック図である。
【図９】本発明の第２の実施の形態における、印刷システムの処理を示すシーケンスチャートである。
【図１０】本発明の第２の実施の形態における、ユーザ情報１５１の例を示す図である。
【図１１】本発明の第３の実施の形態における、印刷システムの構成を示すブロック図である。
【図１２】本発明の第３の実施の形態における、印刷システムの処理を示すシーケンスチャートである。
【図１３】本発明の第４の実施の形態における、印刷システムの構成を示すブロック図である。
【図１４】本発明の第４の実施の形態における、印刷システムの処理を示すシーケンスチャートである。
【発明を実施するための形態】
【００１７】
（第１の実施の形態）
次に、本発明の第１の実施の形態について説明する。
【００１８】
はじめに、本発明の第１の実施の形態の構成について説明する。図２は、本発明の第１の実施の形態における、印刷システムの構成を示すブロック図である。
【００１９】
図２を参照すると、本発明の第１の実施の形態の印刷システムは、分配装置１００、携帯端末２００（第１の装置）、及び、印刷装置３００（第２の装置）を含む。
【００２０】
分配装置１００は、ユーザが所属する企業等のシステム（プライベートシステム）内に配置される装置である。携帯端末２００は、例えば、携帯電話やスマートフォン等、ユーザが持ち運び可能な端末装置である。印刷装置３００は、例えば、コンビニエンスストアの店舗等に配置される、キオスク端末や、マルチコピー機、マルチファンクションプリンタ等、不特定の人が利用可能な印刷機（公共印刷機）である。
【００２１】
本発明の第１の実施の形態においては、分配装置１００が、印刷対象のデータ（印刷対象データ、または、対象データ）を、当該印刷対象データから抜粋したデータである抜粋データ（第１のデータ）と抜粋データを抜粋した残りのデータである抜粋後データ（第２のデータ）に分割し、それぞれを、携帯端末２００と印刷装置３００とに送信（分配）する。そして、印刷装置３００が、携帯端末２００から取得した抜粋データと、分配装置１００から受信した抜粋後データから、印刷対象データを復元する。
【００２２】
本発明の第１の実施の形態においては、分配装置１００が分配する印刷対象データは、印刷装置３００の印刷部３５０が解釈可能（印刷処理を実行可能）な形式の印刷データ７０１を暗号化した暗号化印刷データ７０２である。印刷データ７０１の形式は、印刷装置３００の種類（例えば、プリンタの製造業者、プリンタの型番等）に依存する。印刷データ７０１は、例えば、印刷装置３００の種類に対応した印刷機能（ＯＳ（Operating System）上で動作するプリンタドライバ）等によって生成される。
【００２３】
分配装置１００と携帯端末２００の間、及び、分配装置１００と印刷装置３００の間は、例えば、電話網とインターネット等、異なる通信手段（ネットワーク）により接続される。図２の例では、分配装置１００と携帯端末２００の間が電話網６１０、分配装置１００と印刷装置３００の間がインターネット６２０により接続されている。なお、通信手段は、ＶＰＮ（Virtual Private Network）等の仮想的なネットワークでもよい。この場合、分配装置１００と携帯端末２００の間、及び、分配装置１００と印刷装置３００の間は、例えば、インターネット上の異なるＶＰＮにより接続されていてもよい。
【００２４】
また、分配装置１００と携帯端末２００の間、及び、分配装置１００と印刷装置３００の間は、同一の通信手段上の異なる経路により接続されていてもよい。例えば、分配装置１００からの携帯端末２００へのデータパケットと、分配装置１００からの印刷装置３００へのデータパケットが、同一のネットワーク上で、異なる経路で転送されるように、ネットワークスイッチに設定がされていてもよい。
【００２５】
また、分配装置１００からの携帯端末２００へのデータパケットと、分配装置１００からの印刷装置３００へのデータパケットとを、異なるタイミングで送信する等により、別々に送信できれば、分配装置１００と携帯端末２００の間、及び、分配装置１００と印刷装置３００の間は、同じ通信手段上の同じ経路により接続されていてもよい。
【００２６】
携帯端末２００と印刷装置３００とは、例えば、ＮＦＣ（Near Field Communication）等の近距離通信路により接続される。
【００２７】
携帯端末２００は、分配装置１００に、印刷の準備として、印刷対象データの分配を要求する。また、携帯端末２００は、印刷装置３００に、印刷の実行を要求する。携帯端末２００には、当該携帯端末２００を識別するための識別子（携帯端末識別子）が付与される。
【００２８】
携帯端末２００は、分配要求部２１０、抜粋データ受信部２２０、抜粋データ記憶部２３０、及び、印刷要求部２４０を含む。分配要求部２１０は、分配装置１００に分配要求を送信する。抜粋データ受信部２２０は、分配装置１００から受信した抜粋データ７０３を抜粋データ記憶部２３０に保存する。抜粋データ記憶部２３０は、抜粋データ７０３を記憶する。印刷要求部２４０は、印刷装置３００に印刷要求を送信する。
【００２９】
分配装置１００は、印刷データ７０１をもとに抜粋データ７０３と抜粋後データ７０４とを生成し、携帯端末２００と印刷装置３００とへ送信する。
【００３０】
分配装置１００は、文書データ記憶部１１０、印刷データ生成部１２０、分配部１３０、及び、暗号化部１４０を含む。文書データ記憶部１１０は、アプリケーションプログラムにより編集、閲覧可能な文書のデータである文書データ８０１を記憶する。印刷データ生成部１２０は、文書データ８０１から、印刷データ７０１を生成する。暗号化部１４０は、印刷データ７０１を暗号化し、暗号化印刷データ７０２を生成する。分配部１３０は、暗号化印刷データ７０２から抜粋データ７０３と抜粋後データ７０４とを生成し、それぞれ、携帯端末２００と印刷装置３００とへ送信する。
【００３１】
印刷装置３００は、抜粋データ７０３と抜粋後データ７０４とをもとに、印刷データ７０１を復元し、印刷する。印刷装置３００には、当該印刷装置３００を識別するための識別子（印刷装置識別子）が付与される。
【００３２】
印刷装置３００は、抜粋後データ受信部３１０、抜粋後データ記憶部３２０（データ記憶部）、復元部３３０、復号部３４０、及び、印刷部３５０を含む。抜粋後データ受信部３１０は、分配装置１００から受信した抜粋後データ７０４を抜粋後データ記憶部３２０に保存する。抜粋後データ記憶部３２０は、抜粋後データ７０４を記憶する。復元部３３０は、携帯端末２００から取得した抜粋データ７０３と抜粋後データ記憶部３２０から取得した抜粋後データ７０４とから、暗号化印刷データ７０２を復元する。復号部３４０は、暗号化印刷データ７０２を復号し、印刷データ７０１を復元する。印刷部３５０は、印刷データ７０１を印刷する。
【００３３】
なお、分配装置１００、携帯端末２００、及び、印刷装置３００は、それぞれ、ＣＰＵ（Ｃｅｎｔｒａｌ  Ｐｒｏｃｅｓｓｉｎｇ  Ｕｎｉｔ）とプログラムを記憶した記憶媒体を含み、プログラムに基づく制御によって動作するコンピュータであってもよい。
【００３４】
次に、本発明の第１の実施の形態における印刷システムの動作について説明する。図３は、本発明の第１の実施の形態における、印刷システムの処理を示すシーケンスチャートである。
【００３５】
はじめに、ユーザは、携帯端末２００において、印刷対象の文書と印刷を行う印刷装置３００とを指定し、印刷の準備（印刷対象データの分配）を指示する。携帯端末２００は、ユーザからの印刷対象の文書と印刷を行う印刷装置３００との指定を受け付ける（ステップＳ１１１）。
【００３６】
携帯端末２００の分配要求部２１０は、分配要求を、電話網６１０経由で、分配装置１００へ送信する（ステップＳ１１２）。ここで、分配要求は、ＵＲＬ（Uniform Resource Locator）やＵＮＣ（Universal Naming Convention）等、印刷対象の文書データ８０１（文書ファイル）の保存場所とファイル名を示す情報、印刷を行う印刷装置３００の印刷装置識別子、及び、携帯端末２００の携帯端末識別子を含む。
【００３７】
分配装置１００は、分配要求を受信すると、印刷処理を識別するための処理識別子（または、ジョブ番号）を発行する（ステップＳ１２１）。
【００３８】
印刷データ生成部１２０は、文書データ記憶部１１０から、分配要求で指定された文書データ８０１を取得し、印刷データ７０１を生成する（ステップＳ１２２）。ここで、印刷データ生成部１２０は、例えば、分配要求で指定された文書データ８０１の印刷処理を行うアプリケーションプログラムと、分配要求で指定された印刷装置３００に対応する印刷機能（プリンタドライバ）とを用いて、文書データ８０１に対する印刷データ７０１を生成（レンダリング）する。ここで、印刷データ生成部１２０は、図示しない記憶部に保存された、印刷装置識別子とプリンタドライバとの対応を示す情報をもとに、印刷データ７０１を生成するためのプリンタドライバを決定する。
【００３９】
図４は、本発明の第１の実施の形態における、印刷データ７０１の例を示す図である。例えば、印刷データ生成部１２０は、図４の印刷データ７０１を生成する。
【００４０】
次に、暗号化部１４０は、印刷データ７０１を暗号化し、暗号化印刷データ７０２を生成する（ステップＳ１２３）。
【００４１】
図５は、本発明の第１の実施の形態における、暗号化印刷データ７０２の例を示す図である。例えば、暗号化部１４０は、図４の印刷データ７０１を暗号化し、図５の暗号化印刷データ７０２を生成する。
【００４２】
次に、分配部１３０は、暗号化印刷データ７０２の一部を抜粋して、抜粋データ７０３を生成する。また、分配部１３０は、暗号化印刷データ７０２から抜粋データ７０３を抜粋した残りのデータから、抜粋後データ７０４を生成する（ステップＳ１２４）。
【００４３】
ここで、分配部１３０は、暗号化印刷データ７０２の所定のブロック長、または、ランダムなブロック長のブロック毎に、当該ブロックの一部である所定のデータ長、または、ランダムなデータ長のデータを抜粋し、抜粋されたデータの集合を抜粋データ７０３とする。
【００４４】
例えば、分配部１３０は、暗号化印刷データ７０２の１キロビットのブロック毎に抜粋された、２ビットのデータの集合を、抜粋データ７０３とする。また、例えば、分配部１３０は、暗号化印刷データ７０２のランダムなブロック長のブロック毎に１ビットのデータを抜粋し、抜粋位置と抜粋された１ビットのデータの組の集合を、抜粋データ７０３とする。
【００４５】
分配部１３０は、上述のブロック長やデータ長を、暗号化印刷データ７０２の大きさに応じて変えてもよい。
【００４６】
図６、図７は、本発明の第１の実施の形態における、抜粋データ７０３、抜粋後データ７０４の例を示す図である。例えば、暗号化部１４０は、図５の暗号化印刷データ７０２から、図６の抜粋データ７０３と図７の抜粋後データ７０４とを生成する。
【００４７】
分配部１３０は、抜粋データ７０３とステップＳ１２１で発行されたジョブ番号とを、電話網６１０経由で、分配要求で指定された携帯端末２００に送信する（ステップＳ１２５）。
【００４８】
携帯端末２００の抜粋データ受信部２２０は、抜粋データ７０３とジョブ番号との組を抜粋データ記憶部２３０に保存する（ステップＳ１１３）。
【００４９】
分配部１３０は、抜粋後データ７０４とステップＳ１２１で発行されたジョブ番号とを、インターネット６２０経由で、分配要求で指定された印刷装置３００に送信する（ステップＳ１２６）。
【００５０】
印刷装置３００の抜粋後データ受信部３１０は、抜粋後データ７０４とジョブ番号との組を抜粋後データ記憶部３２０に保存する（ステップＳ１３１）。
【００５１】
次に、ユーザは、携帯端末２００を、印刷を行う印刷装置３００に近づけ、携帯端末２００において印刷実行を指示する。印刷要求部２４０は、ユーザからの印刷実行の指示を受け付ける（ステップＳ１１４）。印刷要求部２４０は、印刷要求を、近距離通信路６３０経由で、印刷装置３００に送信する（ステップＳ１１５）。ここで、印刷要求は、抜粋データ記憶部２３０から取得した、抜粋データ７０３とジョブ番号との組を含む。
【００５２】
印刷装置３００が印刷要求を受信すると、復元部３３０は、抜粋後データ記憶部３２０から、印刷要求で指定されたジョブ番号に対応する抜粋後データ７０４を取得する。復元部３３０は、印刷要求に含まれる抜粋データ７０３と抜粋後データ記憶部３２０から取得した抜粋後データ７０４とから、暗号化印刷データ７０２を復元する（ステップＳ１３２）。
【００５３】
ここで、復元部３３０は、抜粋後データ７０４に抜粋データ７０３を挿入することにより、暗号化印刷データ７０２を復元する。
【００５４】
例えば、復元部３３０は、図６の抜粋データ７０３と図７の抜粋後データ７０４とから、図５の暗号化印刷データ７０２を復元する。
【００５５】
復号部３４０は、暗号化印刷データ７０２を復号し、印刷データ７０１を復元する（ステップＳ１３３）。
【００５６】
例えば、復号部３４０は、図５の暗号化印刷データ７０２から、図４の印刷データ７０１を復元する。
【００５７】
印刷部３５０は、印刷データ７０１を印刷する（ステップＳ１３４）。
【００５８】
ユーザは、印刷装置３００から印刷された文書を受け取る。
【００５９】
なお、印刷部３５０は、印刷実行前に、印刷データ７０１の印刷イメージを、表示部（図示せず）等によりユーザに表示し、用紙サイズ、両面印字、複数ページの１ページへの印刷等の印刷パラメータの入力をユーザから受け付けてもよい。
【００６０】
以上により、本発明の第１の実施の形態の動作が完了する。
【００６１】
次に、本発明の第１の実施の形態の特徴的な構成を説明する。図１は、本発明の第１の実施の形態の特徴的な構成を示すブロック図である。
【００６２】
図１を参照すると、印刷システムは、分配装置１００、携帯端末２００、及び、印刷装置３００を備える。
【００６３】
分配装置１００の分配部１３０は、印刷対象データから抜粋したデータである抜粋データ７０３と、印刷対象データから抜粋データ７０３を抜粋した残りのデータである抜粋後データ７０４とを生成し、抜粋データ７０３を携帯端末２００に送信し、抜粋データ７０３とは別に抜粋後データ７０４を印刷装置３００に送信する。
【００６４】
印刷装置３００の抜粋後データ記憶部３２０は、分配装置１００から受信した抜粋後データ７０４を記憶する。復元部３３０は、携帯端末２００から取得した抜粋データ７０３と抜粋後データ記憶部３２０から取得した抜粋後データ７０４とをもとに、印刷対象データを復元する。印刷部３５０は、復元された印刷対象データを印刷する。
【００６５】
本発明の第１の実施の形態によれば、プライベートシステムから公共印刷機へ、印刷対象データを安全に転送できる。その理由は、分配装置１００が、印刷データ７０１をもとに抜粋データ７０３と抜粋後データ７０４とを生成し、抜粋データ７０３を携帯端末２００へ送信し、抜粋後データ７０４を抜粋データ７０３とは別に印刷装置３０１へ送信し、印刷装置３００が、携帯端末２００から取得した抜粋データ７０３と、分配装置１００から取得した抜粋後データ７０４とをもとに、印刷データ７０１を復元するためである。これにより、分配装置１００から送信されたデータが傍受されたとしても、抜粋データ７０３と抜粋後データ７０４との内のいずれか一方しか傍受されないため、印刷データ７０１は復元されない。また、ユーザが携帯端末２００を紛失した場合でも、携帯端末２００には、抜粋データ７０３しか存在しないため、印刷データ７０１は復元されない。
【００６６】
また、本発明の第１の実施の形態によれば、ユーザが、公共印刷機で印刷された文書を安全に取得できる。その理由は、印刷装置３００が、携帯端末２００からの近距離通信路を介した印刷要求に応答して、印刷データ７０１の復元、印刷を行うためである。これにより、ユーザの移動先にある（ユーザの近くに存在する）印刷装置３００で印刷が行われ、ユーザは、他人を介することなく、直接、印刷装置３００から印刷された文書を取得できる。
【００６７】
（第２の実施の形態）
次に、本発明の第２の実施の形態について説明する。
【００６８】
本発明の第２の実施の形態では、情報端末４００が印刷データ７０１の生成と分配要求の送信を行う点において、本発明の第１の実施の形態と異なる。なお、本発明の第２の実施の形態において、本発明の第１の実施の形態と同一の符号を有する構成要素は、特に説明のない限り、本発明の第１の実施の形態と同一である。
【００６９】
はじめに、本発明の第２の実施の形態の構成について説明する。図８は、本発明の第１の実施の形態における、印刷システムの構成を示すブロック図である。
【００７０】
図８を参照すると、本発明の第１の実施の形態の印刷システムは、分配装置１０１、情報端末４００、携帯端末２０１、及び、印刷装置３００を含む。
【００７１】
ここで、分配装置１０１と情報端末４００とは、プライベートシステム内に配置される。情報端末４００は、パーソナルコンピュータ等、ユーザがプライベートシステムで使用する端末装置である。分配装置１０１と情報端末４００とは、例えば、プライベートシステム内のネットワークで接続される。
【００７２】
情報端末４００は、分配装置１０１に、印刷の準備（印刷対象データの分配）を要求する。
【００７３】
情報端末４００は、文書データ記憶部４１０、印刷データ生成部４２０、及び、分配要求部４３０を含む。文書データ記憶部１１０は、文書データ８０１を記憶する。印刷データ生成部４２０は、本発明の第１の実施の形態の印刷データ生成部１２０と同様に、文書データ８０１から印刷データ７０１を生成する。分配要求部４３０は、分配装置１００に分配要求を送信する。
【００７４】
携帯端末２０１は、本発明の第１の実施の形態の携帯端末２００の構成に対して、分配要求部２１０が省かれた構成を有する。
【００７５】
分配装置１０１は、本発明の第１の実施の形態の分配装置１００の構成に対して、印刷データ生成部４２０が省かれ、ユーザ情報記憶部１５０が追加された構成を有する。ユーザ情報記憶部１５０は、ユーザ情報１５１を記憶する。
【００７６】
図１０は、本発明の第２の実施の形態における、ユーザ情報１５１の例を示す図である。図１０の例では、ユーザ情報１５１は、各ユーザ識別子に対応する携帯端末識別子を含む。
【００７７】
なお、ユーザ情報１５１は、管理者等により、予め設定される。
【００７８】
次に、本発明の第２の実施の形態における印刷システムの動作について説明する。図９は、本発明の第２の実施の形態における、印刷システムの処理を示すシーケンスチャートである。
【００７９】
はじめに、ユーザは、情報端末４００で動作するアプリケーションプログラム等で、文書データ記憶部１１０から文書データ８０１を取得し、印刷の実行を指示する。情報端末４００は、ユーザからの印刷対象の文書と印刷を行う印刷装置３００との指定を受け付ける（ステップＳ２０１）。印刷データ生成部４２０は、文書データ８０１から、印刷データ７０１を生成する（ステップＳ２０２）。
【００８０】
分配要求部４３０は、分配要求を、分配装置１０１へ送信する（ステップＳ２０３）。ここで、分配要求は、印刷データ７０１、印刷を行う印刷装置３００の印刷装置識別子、及び、ユーザ識別子を含む。
【００８１】
分配装置１０１は、分配要求を受信すると、ジョブ番号を発行する（ステップＳ２２１）。暗号化部１４０は、印刷データ７０１を暗号化し、暗号化印刷データ７０２を生成する（ステップＳ２２２）。分配部１３０は、暗号化印刷データ７０２から、抜粋データ７０３と抜粋後データ７０４とを生成する（ステップＳ２２３）。
【００８２】
分配部１３０は、抜粋データ７０３とジョブ番号とを、電話網６１０経由で、ユーザ識別子に対応する携帯端末２０１に送信する（ステップＳ２２４）。ここで、分配部１３０は、ユーザ情報１５１から、分配要求で指定されたユーザ識別子に対応する携帯端末識別子を取得し、当該携帯端末識別子で示される携帯端末２０１に抜粋データ７０３とジョブ番号とを送信する。
【００８３】
例えば、分配部１３０は、図１０のユーザ情報１５１を参照し、携帯端末識別子を取得する。
【００８４】
分配部１３０は、抜粋後データ７０４とジョブ番号とを、インターネット６２０経由で、分配要求で指定された印刷装置３００に送信する（ステップＳ２２５）。
【００８５】
以下、携帯端末２０１における印刷要求処理（ステップＳ２１１〜Ｓ２１３）と、印刷装置３００における印刷処理（ステップＳ２３１〜Ｓ２３４）は、本発明の第１の実施の形態（ステップＳ１１３〜Ｓ１１５、Ｓ１３１〜Ｓ１３４）と同様となる。
【００８６】
以上により、本発明の第２の実施の形態の動作が完了する。
【００８７】
本発明の第２の実施の形態によれば、ユーザがプライベートシステム内で使用する端末装置上のアプリケーションプログラム等から文書を印刷するときに、公共印刷機を印刷先として指定し、印刷を実行できる。その理由は、分配装置１０１が、ユーザの情報端末４００から印刷データ７０１を含む分配要求受信したときに、抜粋データ７０３をユーザが所持する携帯端末２０１に送信し、抜粋後データ７０４を印刷装置３００に送信するためである。
【００８８】
（第３の実施の形態）
次に、本発明の第３の実施の形態について説明する。
【００８９】
本発明の第３の実施の形態においては、分配装置が分配する印刷対象データは、例えば、ＰＤＦ（Portable Document Format）やＸＰＳ（XML Paper Specification）形式等、アプリケーションプログラムにより編集や閲覧が可能な文書データ８０１を暗号化した暗号化文書データ８０２である。本発明の第３の実施の形態では、暗号化文書データ８０２から、抜粋データ８０３と抜粋後データ８０４とが生成される点において、本発明の第１の実施の形態と異なる。なお、本発明の第３の実施の形態において、本発明の第１の実施の形態と同一の符号を有する構成要素は、特に説明のない限り、本発明の第１の実施の形態と同一である。
【００９０】
はじめに、本発明の第３の実施の形態の構成について説明する。図１１は、本発明の第３の実施の形態における、印刷システムの構成を示すブロック図である。
【００９１】
図１１を参照すると、本発明の第３の実施の形態の印刷システムは、分配装置１０２、携帯端末２００、及び、印刷装置３０１を含む。
【００９２】
分配装置１０２は、文書データ８０１をもとに抜粋データ８０３と抜粋後データ８０４とを生成し、携帯端末２００と印刷装置３０１とへ送信する。
【００９３】
分配装置１０２は、本発明の第１の実施の形態の分配装置１００の構成に対して、印刷データ生成部１２０が省かれた構成を有する。
【００９４】
印刷装置３０１は、抜粋データ８０３と抜粋後データ８０４とをもとに、文書データ８０１を復元する。また、印刷装置３０１は、文書データ８０１から印刷データ７０１を生成し、印刷する。
【００９５】
印刷装置３０１は、本発明の第１の実施の形態の分配装置１００の構成に加えて、印刷データ生成部３６０を含む。印刷データ生成部３６０は、本発明の第１の実施の形態の印刷データ生成部１２０と同様に、文書データ８０１から、当該印刷装置３０１の印刷部３５０が解釈可能（印刷処理を実行可能）な形式の印刷データ７０１を生成する。
【００９６】
次に、本発明の第３の実施の形態における印刷システムの動作について説明する。図１２は、本発明の第３の実施の形態における、印刷システムの処理を示すシーケンスチャートである。
【００９７】
はじめに、携帯端末２００における分配要求処理（ステップＳ３１１、Ｓ３１２）は、本発明の第１の実施の形態（ステップＳ１１１、Ｓ１１２）と同様となる。
【００９８】
分配装置１０２は、分配要求を受信すると、ジョブ番号を発行する（ステップＳ３２１）。分配部１３０は、文書データ記憶部１１０から、分配要求で指定された文書データ８０１を取得する。
【００９９】
次に、分配装置１０２が、文書データ８０１をもとに抜粋データ８０３と抜粋後データ８０４とを生成してから、印刷装置３０１が、抜粋データ８０３と抜粋後データ８０４とをもとに、文書データ８０１を復元するまでの処理（ステップＳ３２２〜Ｓ３２５、Ｓ３１３〜Ｓ３１５、Ｓ３３１〜Ｓ３３３）は、本発明の第１の実施の形態（ステップＳ１２３〜Ｓ１２６、Ｓ１１３〜Ｓ１１５、Ｓ１３１〜Ｓ１３３）において、印刷データ７０１、暗号化印刷データ７０２、抜粋データ７０３、及び、抜粋後データ７０４を、それぞれ、文書データ８０１、暗号化文書データ８０２、抜粋データ８０３、及び、抜粋後データ８０４に置き換えた処理と同様となる。
【０１００】
印刷データ生成部３６０は、文書データ８０１から印刷データ７０１を生成する（ステップＳ３３４）。印刷部３５０は、印刷データ７０１を印刷する（ステップＳ３３５）。
【０１０１】
以上により、本発明の第３の実施の形態の動作が完了する。
【０１０２】
本発明の第３の実施の形態によれば、印刷対象データを安全に転送するための分配装置が、より簡易な構成で実現できる。その理由は、印刷装置３０１において、文書データ８０１から印刷データ７０１が生成されるため、分配装置１０２において、印刷装置の種類に依存した印刷データ７０１の生成が不要となるためである。
【０１０３】
（第４の実施の形態）
次に、本発明の第４の実施の形態について説明する。
【０１０４】
本発明の第４の実施の形態では、印刷装置３０２が、データ記憶装置３０３と１以上の印刷実行装置３０４により構成される点において、本発明の第１の実施の形態と異なる。なお、本発明の第４の実施の形態において、本発明の第１の実施の形態と同一の符号を有する構成要素は、特に説明のない限り、本発明の第１の実施の形態と同一である。
【０１０５】
はじめに、本発明の第４の実施の形態の構成について説明する。図１３は、本発明の第４の実施の形態における、印刷システムの構成を示すブロック図である。
【０１０６】
図１３を参照すると、本発明の第４の実施の形態の印刷システムは、分配装置１００、携帯端末２００、及び、印刷装置３０２を含む。
【０１０７】
印刷装置３０２は、データ記憶装置３０３、及び、１以上の印刷実行装置３０４を含む。データ記憶装置３０３と各印刷実行装置３０４とは、図示しないネットワークにより接続される。
【０１０８】
例えば、印刷装置３０２が、あるコンビニエンスストアのチェーンに対する印刷装置である場合、印刷装置３０２は、当該チェーンに対して配置されるデータ記憶装置３０３、及び、当該チェーンに属する各店舗に配置される１以上の印刷実行装置３０４を含む。また、印刷装置３０２が、ある地域に対する印刷装置である場合、印刷装置３０２は、当該地域に対して配置されるデータ記憶装置３０３、及び、当該地域内に配置される１以上の印刷実行装置３０４を含む。
【０１０９】
なお、印刷装置識別子は、印刷装置３０２を構成する１以上の印刷実行装置３０４のグループの識別子（グループ識別子）でもよい。例えば、印刷装置識別子は、コンビニエンスストアのチェーンを示す識別子や、地域を示す識別子でもよい。
【０１１０】
データ記憶装置３０３は、抜粋後データ受信部３１０、抜粋後データ記憶部３２０、及び、抜粋後データ送信部３７０を含む。抜粋後データ送信部３７０は、印刷実行装置３０４からの抜粋後データ取得要求に応答して、印刷実行装置３０４へ抜粋後データ７０４を送信する。
【０１１１】
印刷実行装置３０４は、抜粋データ７０３と抜粋後データ７０４とをもとに、印刷データ７０１を復元し、印刷する。
【０１１２】
印刷実行装置３０４は、復元部３３０、復号部３４０、及び、印刷部３５０を含む。復元部３３０は、携帯端末２００から取得した抜粋データ７０３とデータ記憶装置３０３から取得した抜粋後データ７０４とから、暗号化印刷データ７０２を復元する。
【０１１３】
次に、本発明の第４の実施の形態における印刷システムの動作について説明する。図１４は、本発明の第４の実施の形態における、印刷システムの処理を示すシーケンスチャートである。
【０１１４】
はじめに、ユーザは、携帯端末２００において、印刷対象の文書と印刷を行う印刷装置３０２（グループ）とを指定し、印刷の準備（印刷対象データの分配）を指示する。携帯端末２００は、ユーザからの印刷対象の文書と印刷を行う印刷装置３０２（グループ）との指定を受け付ける（ステップＳ４１１）。携帯端末２００の分配要求部２１０は、分配要求を、電話網６１０経由で、分配装置１００へ送信する（ステップＳ４１２）。ここで、分配要求は、印刷対象の文書データ８０１の保存場所とファイル名を示す情報、印刷を行う印刷装置３０２の印刷装置識別子（グループ識別子）、及び、携帯端末２００の携帯端末識別子を含む。
【０１１５】
分配装置１００がジョブ番号を発行してから、抜粋データ７０３と抜粋後データ７０４とを生成するまでの処理（ステップＳ４２１〜Ｓ４２４）は、本発明の第１の実施の形態（ステップＳ１２１〜Ｓ１２４）と同様となる。
【０１１６】
分配部１３０は、抜粋データ７０３とジョブ番号とを、電話網６１０経由で、分配要求で指定された携帯端末２００に送信する（ステップＳ４２５）。
【０１１７】
携帯端末２００の抜粋データ受信部２２０は、抜粋データ７０３とジョブ番号との組を抜粋データ記憶部２３０に保存する（ステップＳ４１３）。
【０１１８】
分配部１３０は、抜粋後データ７０４とジョブ番号とを、インターネット６２０経由で、分配要求で指定された印刷装置３０２（グループ）のデータ記憶装置３０３に送信する（ステップＳ４２６）。ここで、分配部１３０は、図示しない記憶部に保存された、印刷装置識別子（グループ識別子）とデータ記憶装置３０３の識別子との対応を示す情報をもとに、抜粋後データ７０４を送信するデータ記憶装置３０３を決定する。
【０１１９】
データ記憶装置３０３の抜粋後データ受信部３１０は、抜粋後データ７０４とジョブ番号との組を抜粋後データ記憶部３２０に保存する（ステップＳ４４１）。
【０１２０】
次に、ユーザが、携帯端末２００を、印刷を行う印刷実行装置３０４に近づけ、携帯端末２００において印刷実行を指示する。印刷要求部２４０は、ユーザからの印刷実行の指示を受け付ける（ステップＳ４１４）。印刷要求部２４０は、印刷要求を、近距離通信路６３０経由で、印刷実行装置３０４に送信する（ステップＳ４１５）。
【０１２１】
印刷実行装置３０４が印刷要求を受信すると、復元部３３０は、印刷要求で指定されたジョブ番号を含む抜粋後データ取得要求を、データ記憶装置３０３に送信する（ステップＳ４３１）。
【０１２２】
データ記憶装置３０３の抜粋後データ送信部３７０は、抜粋後データ記憶部３２０から、抜粋後データ取得要求で指定されたジョブ番号に対応する抜粋後データ７０４を取得し、印刷装置３０２へ送信する（ステップＳ４４２）。
【０１２３】
印刷装置３０２の復元部３３０は、印刷要求に含まれる抜粋データ７０３とデータ記憶装置３０３から受信した抜粋後データ７０４とから、暗号化印刷データ７０２を復元する（ステップＳ４３２）。
【０１２４】
復号部３４０は、暗号化印刷データ７０２から、印刷データ７０１を復元する（ステップＳ４３３）。印刷部３５０は、印刷データ７０１を印刷する（ステップＳ４３４）。
【０１２５】
以上により、本発明の第４の実施の形態の動作が完了する。
【０１２６】
本発明の第４の実施の形態によれば、ユーザが、公共印刷機における印刷の準備を指示するときに実際に印刷を行う公共印刷機が特定できていなくても、ユーザの移動先の公共印刷機で印刷を行うことができる。その理由は、分配装置１００が、抜粋後データ７０４を、分配要求で指定された印刷装置３０２（グループ）のデータ記憶装置３０３に送信し、印刷実行装置３０４が、携帯端末２００からの近距離通信路を介した印刷要求に応答して、データ記憶装置３０３から抜粋データ７０４を取得し、印刷データ７０１の復元、印刷を行うためである。
【０１２７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１２８】
例えば、本発明の実施の形態では、印刷装置３００を不特定の人が利用可能な公共印刷機としたが、印刷装置３００は、プライベートシステム内の印刷機や、プライベートシステムからインターネット等により接続された、ユーザの自宅の印刷機、企業の他のオフィスの印刷機等、特定の人が利用可能な印刷機であってもよい。
【０１２９】
また、分配装置１００が配置されるプライベートシステムは、プライベートクラウド等、クラウド上のシステムでもよい。この場合、印刷装置３００は、当該クラウド上のシステムから印刷可能な印刷機でもよい。
【０１３０】
また、分配装置１００は、抜粋データを携帯端末２００に送る場合、分配要求に含まれる携帯端末識別子に対応するユーザの電子メールアドレス、または、分配要求に含まれるユーザの電子メールアドレス宛てに、電子メールで送信してもよい。
【０１３１】
また、本発明の実施の形態では、分配装置１００が、暗号化された印刷対象データ（暗号化印刷データ７０２、暗号化文書データ８０２）から抜粋データと抜粋後データとを生成し、印刷装置３００が、当該暗号化された印刷対象データを復元しているが、分配装置１００が、暗号化されていない印刷対象データ（印刷データ７０１、文書データ８０１）から抜粋データと抜粋後データとを生成し、印刷装置３００が、当該暗号化されていない印刷対象データを復元してもよい。
【０１３２】
また、本発明の実施の形態では、携帯端末２００と印刷装置３００とをＮＦＣにより接続しているが、携帯端末２００を印刷装置３００に近接させた状態で通信できれば、他の近距離通信手段を用いてもよい。
【０１３３】
例えば、近距離通信手段として、２次元バーコード等のバーコードを使用してもよい。この場合、携帯端末２００は図示しない表示部により、抜粋データとジョブ番号とを含むバーコードを表示する。印刷装置３００は、図示しない撮像部により、当該バーコードを読み取り、抜粋データとジョブ番号とを取得する。
【０１３４】
また、２次元バーコード等、近距離通信手段として送信できるデータの大きさに上限値がある場合、抜粋データとジョブ番号の大きさが当該上限値以下となるように、抜粋データを生成するときの上述のブロック長やデータ長を変更してもよい。
【０１３５】
また、近距離通信手段として、バーコードを用いる場合、分配装置１００は、抜粋データとジョブ番号とを含むバーコードの画像データを、携帯端末２００に送信してもよい。
【０１３６】
また、近距離通信手段として、ＵＳＢ（Universal Serial Bus）等、ケーブルやバスにより、携帯端末２００と印刷装置３００とを直接接続するインタフェースを使用してもよい。
【０１３７】
また、携帯端末２００の抜粋データ記憶部２３０を、メモリーカード等、携帯端末２００から取り外し可能な記憶媒体により構成し、印刷装置３００が当該印刷装置３００のメモリースロット等に挿入された当該記憶媒体から、抜粋データとジョブ番号とを取得してもよい。
【０１３８】
また、分配装置１００が分配要求を受信した場合や、印刷装置３００が印刷要求を受信した場合に、要求元の携帯端末２００に対してユーザ認証を行ってもよい。例えば、分配装置１００が携帯端末２００から分配要求を受信した場合に、ユーザ識別子とパスワード等を用いたユーザ認証を行ってもよい。また、分配装置１００が、抜粋データにユーザ認証を行うための情報を加え、印刷装置３００が携帯端末２００から印刷要求を受信した場合に、抜粋データに加えられた情報を用いて、ユーザ認証を行ってもよい。
【符号の説明】
【０１３９】
１００    分配装置
１０１    分配装置
１０２    分配装置
１１０    文書データ記憶部
１２０    印刷データ生成部
１３０    分配部
１４０    暗号化部
１５０    ユーザ情報記憶部
１５１    ユーザ情報
２００    携帯端末
２０１    携帯端末
２１０    分配要求部
２２０    抜粋データ受信部
２３０    抜粋データ記憶部
２４０    印刷要求部
３００    印刷装置
３０１    印刷装置
３０２    印刷装置
３０３    データ記憶装置
３０４    印刷実行装置
３１０    抜粋後データ受信部
３２０    抜粋後データ記憶部
３３０    復元部
３４０    復号部
３５０    印刷部
３６０    印刷データ生成部
３７０    抜粋後データ送信部
４００    情報端末
４１０    文書データ記憶部
４２０    印刷データ生成部
４３０    分配要求部
６１０    電話網
６２０    インターネット
６３０    近距離通信路
７０１    印刷データ
７０２    暗号化印刷データ
７０３    抜粋データ
７０４    抜粋後データ
８０１    文書データ
８０２    暗号化文書データ
８０３    抜粋データ
８０４    抜粋後データ
【図１】
0006007503.tif 000002
【図２】
0006007503.tif 000003
【図３】
0006007503.tif 000004
【図４】
0006007503.tif 000005
【図５】
0006007503.tif 000006
【図６】
0006007503.tif 000007
【図７】
0006007503.tif 000008
【図８】
0006007503.tif 000009
【図９】
0006007503.tif 000010
【図１０】
0006007503.tif 000011
【図１１】
0006007503.tif 000012
【図１２】
0006007503.tif 000013
【図１３】
0006007503.tif 000014
【図１４】
0006007503.tif 000015